(57)【要約】      （修正有）【課題】通信端末装置の通信相手リストの管理技術に関し、通信端末装置における通信相手リストの利便性を高める。【解決手段】通信端末装置は、通信相手名及び通信端末識別情報を各々含む複数のエントリを、通信相手リストの表示対象と通信相手リストの非表示対象とに区別して格納する格納部と、着信があった場合に、発信元の通信端末識別情報を特定し、更に、複数のエントリのうち、特定された発信元の通信端末識別情報を含むエントリを特定し、特定されたエントリに含まれる通信相手名を含む着信画面を表示する表示部とを有する。【選択図】図１
2014036287.tif 000002
【特許請求の範囲】
【請求項１】
通信相手名及び通信端末識別情報を各々含む複数のエントリを、通信相手リストの表示対象と前記通信相手リストの非表示対象とに区別して格納する格納部と、
着信があった場合に、発信元の通信端末識別情報を特定し、更に、前記複数のエントリのうち、特定された前記発信元の通信端末識別情報を含むエントリを特定し、特定された前記エントリに含まれる通信相手名を含む着信画面を表示する表示部と、
を有する通信端末装置。
【請求項２】
前記通信端末装置は、更に、
前記着信があった場合に、前記発信元の通信端末識別情報を含み且つ非表示対象であるエントリを、表示対象に変更する変更部
を有する請求項１記載の通信端末装置。
【請求項３】
前記着信に対して応答した場合に、前記変更部は、前記発信元の通信端末識別情報を含み且つ非表示対象である前記エントリを、表示対象に変更する
請求項２記載の通信端末装置。
【請求項４】
前記複数のエントリは、更に通信相手が属するグループの識別情報を含み、
前記変更部は、表示対象に変更された前記エントリに含まれるグループの識別情報と一致するグループの識別情報を含み且つ非表示対象である一又は複数の第１のエントリを特定し、当該一又は複数の第１のエントリを、表示対象に変更する
請求項２又は３記載の通信端末装置。
【請求項５】
前記変更部は、同じグループに属する通信相手を一括して表示対象に変更する指示を受け付けた場合に、前記一又は複数の第１のエントリを、表示対象に変更する
請求項４記載の通信端末装置。
【請求項６】
前記変更部は、前記通信相手リストの表示対象である特定のエントリを非表示対象に変更する指示を受け付けた場合に、前記特定のエントリを非表示対象に変更し、前記特定のエントリに含まれるグループの識別情報と一致するグループの識別情報を含み且つ表示対象である一又は複数の第２のエントリを特定し、当該一又は複数の第２のエントリを、非表示対象に変更する
請求項４又は５記載の通信端末装置。
【請求項７】
前記変更部は、同じグループに属する通信相手を一括して非表示対象に変更する指示を受け付けた場合に、前記一又は複数の第２のエントリを、非表示対象に変更する
請求項６記載の通信端末装置。
【請求項８】
通信相手名及び通信端末識別情報を各々含む複数のエントリを、通信相手リストの表示対象と前記通信相手リストの非表示対象とに区別して格納する格納部を有する通信端末装置が実行する表示方法であって、
着信があった場合に、発信元の通信端末識別情報を特定する処理と、
前記複数のエントリのうち、特定された前記発信元の通信端末識別情報を含むエントリを特定し、特定された前記エントリに含まれる通信相手名を含む着信画面を表示する処理と、
を含む表示方法。
【請求項９】
通信相手名及び通信端末識別情報を各々含む複数のエントリを、通信相手リストの表示対象と前記通信相手リストの非表示対象とに区別して格納する格納部を有する通信端末装置に、
着信があった場合に、発信元の通信端末識別情報を特定する処理と、
前記複数のエントリのうち、特定された前記発信元の通信端末識別情報を含むエントリを特定し、特定された前記エントリに含まれる通信相手名を含む着信画面を表示する処理と、
を実行させるためのプログラム。
【発明の詳細な説明】
【技術分野】
【０００１】
本技術は、通信端末装置の通信相手リストの管理技術に関する。
【背景技術】
【０００２】
例えばビジネスでスマートフォンのような通信端末装置を利用する場合、毎日のように新しい相手の電話番号やメールアドレスを通信相手リストに追加することになる。そして、通信相手リストの中に、良く使うエントリとあまり使わないエントリが混在する状態となっていることが多い。尚、通信相手リストは、電話番号を管理する意味で電話帳リストと呼ばれることがある。また、通信相手リストは、電子メールのアドレスを管理する意味でアドレスリストと呼ばれることもある。
【０００３】
通信相手リストから通信相手を選択し、電話をかける場合あるいはメールを送信する場合に、大量のエントリの中から通信相手を探すよりも、絞り込まれた良く使うエントリの中から通信相手を探す方が使い勝手がよい。
【０００４】
しかし、将来も相手と通話する関係が続くか否かの判断は難しい。今後も頻繁に通話するであろうと判断した相手であっても、その後通話する機会がないということもある。そのような場合には、無駄なエントリを保持していることになる。
【０００５】
一方、今後通話することはないであろうと判断した相手であっても、その後通話する機会が生じることもある。そのような場合にエントリを削除していると、通信相手リストの利便性を生かせないことになる。
【０００６】
電話に限らず電子メールの場合にも、同様に相手のメールアドレスを通信相手リストに保持しておくべきか否かの判断は難しい。
【先行技術文献】
【特許文献】
【０００７】
【特許文献１】特開２０１０−０２１６００号公報
【特許文献２】特開２００４−１７９９１４号公報
【発明の概要】
【発明が解決しようとする課題】
【０００８】
従って、本技術の目的は、一側面では、通信端末装置における通信相手リストの利便性を高めることである。
【課題を解決するための手段】
【０００９】
本実施の形態に係る通信端末装置は、通信相手名及び通信端末識別情報を各々含む複数のエントリを、通信相手リストの表示対象と通信相手リストの非表示対象とに区別して格納する格納部と、着信があった場合に、発信元の通信端末識別情報を特定し、更に、複数のエントリのうち、特定された発信元の通信端末識別情報を含むエントリを特定し、特定されたエントリに含まれる通信相手名を含む着信画面を表示する表示部とを有する。
【発明の効果】
【００１０】
通信端末装置における通信相手リストの利便性を高めることができるようになる。
【図面の簡単な説明】
【００１１】
【図１】図１は、通信端末装置のハードウエア構成例を示す図である。
【図２】図２は、通信端末装置のモジュール構成例を示す図である。
【図３】図３は、第１表示処理フローの例を示す図である。
【図４】図４は、表示対象テーブルの例を示す図である。
【図５】図５は、通信相手リスト画面の例を示す図である。
【図６】図６は、一括除外処理（１）フローの例を示す図である。
【図７】図７は、グループテーブルの例を示す図である。
【図８】図８は、一括除外画面の例を示す図である。
【図９】図９は、除外後の非表示対象テーブルの例を示す図である。
【図１０】図１０は、除外後の表示対象テーブルの例を示す図である。
【図１１】図１１は、第２表示処理フローの例を示す図である。
【図１２】図１２は、第２表示処理フローの例を示す図である。
【図１３】図１３は、第２表示処理フローの例を示す図である。
【図１４】図１４は、復元処理（１）フローの例を示す図である。
【図１５】図１５は、一括復元処理（１）フローの例を示す図である。
【図１６】図１６は、一括復元画面の例を示す図である。
【図１７】図１７は、復元後の表示対象テーブルの例を示す図である。
【図１８】図１８は、復元後の非表示対象テーブルの例を示す図である。
【図１９】図１９は、第２表示処理フローの例を示す図である。
【図２０】図２０は、実施の形態２に係る一括除外処理（２）フローの例を示す図である。
【図２１】図２１は、実施の形態２に係る一括除外画面の例を示す図である。
【図２２】図２２は、実施の形態２に係る一括復元処理（２）フローの例を示す図である。
【図２３】図２３は、実施の形態２に係る一括復元画面の例を示す図である。
【図２４】図２４は、実施の形態３に係る通信端末装置のモジュール構成例を示す図である。
【図２５】図２５は、通信相手テーブルの例を示す図である。
【図２６】図２６は、実施の形態３に係る第１表示処理フローの例を示す図である。
【図２７】図２７は、実施の形態３に係る一括除外処理（３）フローの例を示す図である。
【図２８】図２８は、除外後の通信相手テーブルの例を示す図である。
【図２９】図２９は、実施の形態３に係る復元処理（２）フローの例を示す図である。
【図３０】図３０は、実施の形態３に係る一括復元処理（３）フローの例を示す図である。
【図３１】図３１は、実施の形態４に係る一括除外処理（４）フローの例を示す図である。
【図３２】図３２は、実施の形態４に係る一括復元処理（４）フローの例を示す図である。
【図３３】図３３は、実施の形態５に係る通信端末装置のモジュール構成例を示す図である。
【図３４】図３４は、実施の形態５に係る第３表示処理フローの例を示す図である。
【図３５】図３５は、実施の形態５に係る復元処理（５）フローの例を示す図である。
【図３６】図３６は、実施の形態６に係る通信端末装置のモジュール構成例を示す図である。
【図３７】図３７は、実施の形態６に係る復元処理（６）フローの例を示す図である。
【発明を実施するための形態】
【００１２】
［実施の形態１］
図１は、通信端末装置のハードウエア構成例を示す図である。通信端末装置は、プロセッサ１０１、記憶部１０３、入力装置１１１、表示装置１１３、アンテナ１１５、無線制御部１１７、オーディオ制御部１１９、スピーカ１２１及びマイク１２３を有している。
【００１３】
プロセッサ１０１は、通信端末装置に関する演算処理を行う集積回路である。プロセッサ１０１は、モデムＣＰＵ（Central Processing Unit）とアプリケーションＣＰＵからなることもある。記憶部１０３は、例えば、ＲＯＭ（Read Only Memory）１０５とＲＡＭ（Random Access Memory）１０７とフラッシュメモリ１０９を有している。ＲＯＭ１０５は、例えば、アプリケーションプログラムなどを格納している。ＲＡＭ１０７は、例えば、アプリケーションプログラムを展開する領域を含んでいる。フラッシュメモリ１０９は、例えば、通信相手リストなどのユーザデータを格納できる。
【００１４】
入力装置１１１は、例えば、タッチパネルやボタンであり、ユーザ操作による指示を受け付ける。表示装置１１３は、例えば、アプリケーションが表示させる各種画面を表示する。
【００１５】
アンテナ１１５は、例えば、セルラー方式、無線ＬＡＮ（Local Area Network）、近距離通信方式などの無線データを受信する。無線制御部１１７は、無線通信の制御を行う。無線通信の制御により、電話の音声通信やメールのデータ通信が行われる。
【００１６】
オーディオ制御部１１９は、音データに関するアナログ／デジタル変換とデジタル／アナログ変換を行う。スピーカ１２１は、アナログデータを音として出力する。マイク１２３は、音をアナログデータに変換する。
【００１７】
図２は、通信端末装置のモジュール構成例を示す図である。通信端末装置は、第１表示部２０１、変更部２０３、第２表示部２０５、呼制御部２０７及び格納部２０９を有している。
【００１８】
第１表示部２０１は、通信相手リストを表示し、選択された通信相手を通信相手リストの表示対象から除外する処理を行うように動作する。変更部２０３は、通信相手のデータを変更するように動作する。第２表示部２０５は、電話の着信に伴う表示を行うように動作する。呼制御部２０７は、呼制御を行い、呼制御に関する通知を第２表示部２０５に渡すように動作する。
【００１９】
第１表示部２０１、変更部２０３、第２表示部２０５、呼制御部２０７は、例えばＲＯＭ１０５に格納されているプログラムをプロセッサ１０１がＲＡＭ１０７に展開し、順次命令を読み込み実行することにより、実現される。但し、ソフトウエアによらず、ハードウエアにより実現するようにしてもよい。
【００２０】
格納部２０９は、通信相手のデータを格納するように構成されており、表示対象テーブル２１１、非表示対象テーブル２１３及びグループテーブル２１５を有している。格納部２０９は、例えばフラッシュメモリ１０９の一部の領域を用いて構成される。あるいは、格納部２０９は、着脱可能な記憶媒体の一部の領域を用いて構成されるようにしてもよい。
【００２１】
表示対象テーブル２１１は、通信相手リストの表示対象である通信相手のエントリのデータ（以下、「エントリ」という。）を格納するように構成されている。非表示対象テーブル２１３は、通信相手リストの非表示対象である通信相手のエントリを格納するように構成されている。グループテーブル２１５は、通信相手が属するグループのデータを格納するように構成されている。
【００２２】
図３は、第１表示処理フローの例を示す図である。第１表示処理では、通信相手リストを表示し、通信相手の選択と除外の指示を受け付け、選択された通信相手を通信相手リストの表示対象から除外する処理を行う。通信相手リストは、電話帳リスト及びメールアドレスリストとして用いられる。
【００２３】
第１表示部２０１は、表示対象テーブル２１１から通信相手のエントリを取得する（Ｓ３０１）。
【００２４】
図４は、表示対象テーブル２１１の例を示す図である。通信相手毎にレコードを有している。レコードは、通信相手の名前、グループＩＤ、電話番号及びメールアドレスを含んでいる。レコードは、通信相手リストの表示対象である通信相手のエントリに相当する。
【００２５】
例えば、第１のレコードは、名前「Ａ  さん」の通信相手は、グループＩＤ「Ｇ＿０１」で特定されるグループに属することを示している。更に、名前「Ａ  さん」の通信相手は、電話番号「１１１−２２２−３３３３」の通信端末装置を用い、メールアドレス「ａ＠ｘ．ｊｐ」を用いていることを示している。また、同じグループＩＤ「Ｇ＿０１」を含む名前「Ｂ  さん」の通信相手、名前「Ｃ  さん」の通信相手、及び名前「Ｄ  さん」の通信相手は、名前「Ａ  さん」の通信相手と同じグループに属していることを示している。名前「Ｂ  さん」の通信相手は、電話番号「１１１−２２２−３３３４」の通信端末装置を用い、メールアドレス「ｂ＠ｘ．ｊｐ」を用い、名前「Ｃ  さん」の通信相手は、電話番号「１１１−２２２−３３３５」の通信端末装置を用い、メールアドレス「ｃ＠ｘ．ｊｐ」を用い、名前「Ｄ  さん」の通信相手は、電話番号「１１１−２２２−３３３６」の通信端末装置を用い、メールアドレス「ｄ＠ｘ．ｊｐ」を用いている。このように、同じグループに属する通信相手も、それぞれ固有の電話番号とメールアドレスを設定できるように構成されている。
【００２６】
一方、名前「Ａ  さん」の通信相手の同じグループＩＤ「Ｇ＿０１」と異なるグループＩＤ「Ｇ＿０２」を含む名前「Ｅ  さん」の通信相手と名前「Ｆ  さん」の通信相手は、名前「Ａ  さん」の通信相手と異なるグループに属していることを示している。
【００２７】
図３の処理に戻って、第１表示部２０１は、通信相手リストを生成し、生成した通信相手リストを表示する（Ｓ３０３）。
【００２８】
図５は、通信相手リスト画面の例を示す図である。通信相手リスト画面は、表示対象テーブル２１１から抽出した通信相手のレコードに含まれる通信相手の名前を表示している。この例では、第１表示部２０１は、レコードの登録順の通りに通信相手の名前を表示しているが、第１表示部２０１は、５０音順に通信相手の名前を表示するようにしてもよい。また、呼称の条件により抽出した結果を表示するようにしてもよい。
【００２９】
通信相手リスト画面は、通信相手を選択できるように構成されている。選択された通信相手の名前は、反転表示される。通信相手リスト画面は、通信相手が選択された状態で、除外ボタンの指示を受け付ける。除外ボタンが指示されると、選択されている通信相手は通信相手リストの表示対象から外れる。閉じるボタンが選択された場合には、通信相手リスト画面の表示は終わる。
【００３０】
図３の処理に戻って、第１表示部２０１は、イベントの発生を待つ（Ｓ３０５）。第１表示部２０１は、発生したイベントが通信相手の選択であるか否かを判定する（Ｓ３０７）。第１表示部２０１が、発生したイベントが通信相手の選択であると判定した場合には、第１表示部２０１は、選択された通信相手を反転表示する（Ｓ３０９）。更に、第１表示部２０１は、選択された通信相手を一時的に記憶し（Ｓ３１１）、除外ボタンを指示できるように設定する（Ｓ３１３）。この例では、通信相手が選択されていない状態では、除外ボタンを指示できないように設定されている。
【００３１】
Ｓ３０７に戻って、発生したイベントが通信相手の選択ではないと判定した場合には、第１表示部２０１は、発生したイベントが除外ボタンであるか否かを判定する（Ｓ３１５）。発生したイベントが除外ボタンであると判定した場合には、変更部２０３は、選択された通信相手の表示対象テーブル２１１のエントリを、非表示対象テーブル２１３の新たなエントリにコピーする（Ｓ３１７）。更に、変更部２０３は、選択された通信相手の表示対象テーブル２１１のエントリを削除する（Ｓ３１９）。そして、変更部２０３は、一括除外処理を行う（Ｓ３２１）。
【００３２】
一括除外処理では、選択された通信相手が属するグループと同じグループに属する他の通信相手を一括して、通信相手リストの表示対象から除外する処理を行う。図６は、一括除外処理（１）フローの例を示す図である。
【００３３】
変更部２０３は、選択された通信相手のグループＩＤを表示対象テーブル２１１のエントリから取得する（Ｓ６０１）。変更部２０３は、グループテーブル２１５からグループＩＤに対応するグループ名を取得する（Ｓ６０３）。
【００３４】
図７は、グループテーブル２１５の例を示す図である。グループ毎にレコードを有している。レコードは、グループＩＤ及びグループ名を含んでいる。例えば、グループＩＤ「Ｇ＿０１」のグループ名は、「Ｘ社」であることを示している。
【００３５】
図６の処理に戻って、変更部２０３は、一括除外画面を生成する（Ｓ６０５）。
【００３６】
図８は、一括除外画面の例を示す図である。選択された通信相手を通信相手リストの表示対象から除外した旨と、選択された通信相手が属するグループと同じグループに属する他の通信相手も、通信相手リストの表示対象から除外する一括除外を行うかを問う表示が含まれている。利用者は、一括除外ボタンにより一括除外を指示することができる。閉じるボタンを指示した場合には、一括除外画面は閉じられる。
【００３７】
変更部２０３は、一括除外画面用の定型の文に、通信相手の名前と、通信相手が属するグループのグループ名を挿入することにより、一括除外画面を生成する。
【００３８】
変更部２０３は、一括除外画面を表示し、（Ｓ６０７）、イベントの発生を待つ（Ｓ６０９）。変更部２０３は、発生したイベントが一括除外ボタンであるか否かを判定する（Ｓ６１１）。
【００３９】
発生したイベントが一括除外ボタンであると判定した場合には、変更部２０３は、表示対象テーブル２１１からグループＩＤが一致する通信相手を抽出する（Ｓ６１３）。変更部２０３は、グループＩＤが一致する通信相手の表示対象テーブル２１１のエントリを、非表示対象テーブル２１３の新たなエントリにコピーする（Ｓ６１５）。変更部２０３は、グループＩＤが一致する通信相手の表示対象テーブル２１１のエントリを削除する（Ｓ６１７）。そして、変更部２０３は処理を終え、図３の処理に戻る。
【００４０】
一方、Ｓ６１１で、発生したイベントが一括除外ボタンではないと判定した場合には、変更部２０３は、発生したイベントが閉じるボタンであるか否かを判定する（Ｓ６１９）。発生したイベントが閉じるボタンであると判定した場合には、変更部２０３は処理を終え、図３の処理へ戻る。発生したイベントが閉じるボタンではないと判定した場合には、変更部２０３はＳ６０９に処理を移す。
【００４１】
図９に、除外後の非表示対象テーブル２１３の例を示す。非表示対象テーブル２１３は、表示対象テーブル２１１と同様に、通信相手毎にレコードを有している。レコードは、通信相手の名前、グループＩＤ、電話番号及びメールアドレスを含んでいる。レコードは、通信相手リストの非表示対象である通信相手のエントリに相当する。
【００４２】
この例は、名前「Ａ  さん」の通信相手を除外し、更に名前「Ａ  さん」の通信相手が属するグループＩＤ「Ｇ＿０１」を含む名前「Ｂ  さん」の通信相手、名前「Ｃ  さん」の通信相手、及び名前「Ｄ  さん」の通信相手を除外した状態を示している。非表示対象テーブル２１３には、除外された名前「Ａ  さん」の通信相手、名前「Ｂ  さん」の通信相手、名前「Ｃ  さん」の通信相手、及び名前「Ｄ  さん」の通信相手のエントリが含まれている。
【００４３】
図１０に、除外後の表示対象テーブル２１１の例を示す。表示対象テーブル２１１には、除外された名前「Ａ  さん」の通信相手、名前「Ｂ  さん」の通信相手、名前「Ｃ  さん」の通信相手、及び名前「Ｄ  さん」の通信相手のエントリが含まれていない。
【００４４】
図３の処理に戻って、Ｓ３１５で、発生したイベントが除外ボタンでないと判定した場合には、第１表示部２０１は、発生したイベントが閉じるボタンであるか否かを判定する（Ｓ３２３）。発生したイベントが除外ボタンでないと判定した場合には、第１表示部２０１はＳ３０５へ処理を戻す。発生したイベントが除外ボタンであると判定した場合には、第１表示部２０１は処理を終える。
【００４５】
以上で、第１表示処理の説明を終える。このように、第１表示処理により選択した通信相手及び同じグループに属する通信相手を通信相手リストの表示対象から除外できる。続いて、電話の着信と通話に関する第２表示処理について説明する。
【００４６】
図１１は、第２表示処理フローの例を示す図である。第２表示部２０５は、呼制御部２０７からの着信の通知を待つ（Ｓ１１０１）。呼制御部２０７は、着信した場合に、着信の通知を第２表示部２０５へ渡すように動作する。着信の通知は、発信端末の電話番号を含んでいる。
【００４７】
第２表示部２０５は、着信の通知から発信端末の電話番号を特定する（Ｓ１１０３）。第２表示部２０５は、電話番号をキーとして表示対象テーブル２１１に含まれるエントリを検索する（Ｓ１１０５）。第２表示部２０５は、表示対象テーブル２１１に電話番号が一致するエントリがあったか否かを判定する（Ｓ１１０７）。表示対象テーブル２１１に電話番号が一致するエントリがあったと判定した場合には、端子Ａを介して、図１２の処理に移る。
【００４８】
図１２の処理で、第２表示部２０５は、通信相手名を特定し（Ｓ１２０１）、着信画面を生成する（Ｓ１２０３）。着信画面は、例えば着信中の旨と、検索されたエントリに含まれる通信相手の名前と、発信端末の電話番号を表示する画面である。第２表示部２０５は、着信画面用の定型の画面に、通信相手の名前と、発信端末の電話番号を設定する。第２表示部２０５は、生成した着信画面を表示する（Ｓ１２０５）。
【００４９】
そして、第２表示部２０５は、呼制御部２０７からの通知を待つ（Ｓ１２０７）。通知を受けると、第２表示部２０５は、切断の通知であるかあるいは通話開始の通知であるかを判定する（Ｓ１２０９）。このとき、切断の通知は、着信へ応答しなかったことを意味する。また、通話開始の通知は、着信へ応答したことを意味する。切断の通知であると判定した場合には、第２表示部２０５は、着信画面の表示を終了し（Ｓ１２１１）、処理を終了する。そして、端子Ｄを介して図１１のＳ１１０１の処理へ戻る。
【００５０】
一方、通話開始の通知であると判定した場合には、第２表示部２０５は、着信画面の表示を終了し（Ｓ１２１３）、第２表示部２０５は、通話画面を生成する（Ｓ１２１５）。通話画面は、例えば通話中の旨と、検索されたエントリに含まれる通信相手の名前と、発信端末の電話番号を表示する画面である。第２表示部２０５は、通話画面用の定型の画面に、通信相手の名前と、発信端末の電話番号を設定する。第２表示部２０５は、通話画面を表示し（Ｓ１２１７）、切断の通知を待つ（Ｓ１２１９）。切断の通知を受けると、第２表示部２０５は、通話画面の表示を終了し（Ｓ１２２１）、処理を終了する。そして、端子Ｄを介して図１１のＳ１１０１の処理へ戻る。
【００５１】
図１１の処理に戻って、Ｓ１１０７で、表示対象テーブル２１１に電話番号が一致するエントリがなかったと判定した場合には、第２表示部２０５は、電話番号をキーとして非表示対象テーブル２１３に含まれるエントリを検索する（Ｓ１１０９）。第２表示部２０５は、非表示対象テーブル２１３に電話番号が一致するエントリがあったか否かを判定する（Ｓ１１１１）。非表示対象テーブル２１３に電話番号が一致するエントリがあったと判定した場合には、第２表示部２０５は、端子Ｂを介して図１３の処理に移る。
【００５２】
図１３の処理で、第２表示部２０５は、通信相手名を特定し（Ｓ１３０１）、着信画面を生成する（Ｓ１３０３）。着信画面は、上記と同様に、例えば着信中の旨と、検索されたエントリに含まれる通信相手の名前と、発信端末の電話番号を表示する画面である。第２表示部２０５は、着信画面用の定型の画面に、通信相手の名前と、発信端末の電話番号を設定する。第２表示部２０５は、生成した着信画面を表示する（Ｓ１３０５）。
【００５３】
そして、第２表示部２０５は、呼制御部２０７からの通知を待つ（Ｓ１３０７）。第２表示部２０５は、通知を受けると、第２表示部２０５は、切断の通知であるかあるいは通話開始の通知であるかを判定する（Ｓ１３０９）。切断の通知であると判定した場合には、第２表示部２０５は、着信画面の表示を終了し（Ｓ１３１１）、処理を終了する。そして、端子Ｄを介して図１１のＳ１１０１の処理へ戻る。
【００５４】
一方、通話開始の通知であると判定した場合には、第２表示部２０５は、着信画面の表示を終了し（Ｓ１３１３）、第２表示部２０５は、通話画面を生成する（Ｓ１３１５）。通話画面は、上記と同様に、例えば通話中の旨と、通信相手の名前と、発信端末の電話番号を表示する画面である。第２表示部２０５は、通話画面用の定型の画面に、通信相手の名前と、発信端末の電話番号を設定する。第２表示部２０５は、通話画面を表示し（Ｓ１３１７）、切断の通知を待つ（Ｓ１３１９）。切断の通知を受けると、第２表示部２０５は、通話画面の表示を終了し（Ｓ１３２１）、復元処理を行う（Ｓ１３２３）。
【００５５】
図１４に、復元処理（１）フローの例を示す。変更部２０３は、発信した通信相手の非表示対象テーブル２１３のエントリを、表示対象テーブル２１１の新しいエントリにコピーする（Ｓ１４０１）。変更部２０３は、発信した通信相手の非表示対象テーブル２１３のエントリを削除する（Ｓ１４０３）。この例では、自動的に復元する処理フローを示したが、利用者の指示を待って復元する処理フローにより復元処理を行ってもよい。その場合には、Ｓ１４０１の前に、復元の指示を受け付け可能な確認画面を表示し、復元の指示を受け付けた場合に、Ｓ１４０１とＳ１４０３の処理を行う。復元の指示を受け付けない場合には、Ｓ１４０１とＳ１４０３の処理を行わないようにする。
【００５６】
図１３の処理に戻って、変更部２０３は、更に一括復元処理を行う（Ｓ１３２５）。一括復元処理では、発信した通信相手が属するグループと同じグループに属する他の通信相手を一括して、通信相手リストの表示対象へ復元する処理を行う。図１５は、一括復元処理（１）フローの例を示す図である。
【００５７】
変更部２０３は、非表示対象テーブル２１３のエントリから発信した通信相手のグループＩＤを取得する（Ｓ１５０１）。変更部２０３は、グループテーブル２１５からグループＩＤに対応するグループ名を取得する（Ｓ１５０３）。変更部２０３は、一括復元画面を生成する（Ｓ１５０５）
【００５８】
図１６は、一括復元画面の例を示す図である。発信した通信相手を通信相手リストの表示対象へ復元した旨と、発信した通信相手が属するグループと同じグループに属する他の通信相手も、通信相手リストの表示対象へ復元する一括復元を行うかを問う表示が含まれている。利用者は、一括復元ボタンにより一括復元を指示することができる。閉じるボタンを指示した場合には、一括復元画面は閉じられる。
【００５９】
変更部２０３は、一括復元画面用の定型の文に、通信相手の名前と、通信相手が属するグループのグループ名を挿入することにより、一括復元画面を生成する。
【００６０】
変更部２０３は、一括復元画面を表示し（Ｓ１５０７）、イベントの発生を待つ（Ｓ１５０９）。変更部２０３は、発生したイベントが一括復元ボタンであるか否かを判定する（Ｓ１５１１）。発生したイベントが一括復元ボタンであると判定した場合には、変更部２０３は、非表示対象テーブル２１３からグループＩＤが一致する通信相手を抽出する（Ｓ１５１３）。変更部２０３は、グループＩＤが一致する通信相手の非表示対象テーブル２１３のエントリを、表示対象テーブル２１１の新たなエントリにコピーする（Ｓ１５１５）。変更部２０３は、グループＩＤが一致する通信相手の非表示対象テーブル２１３のエントリを削除する（Ｓ１５１７）。
【００６１】
図１７に、復元後の表示対象テーブル２１１の例を示す。この例は、一括復元を行わずに、名前「Ａ  さん」の通信相手のみを復元した状態を示している。図１８に、復元後の非表示対象テーブル２１３の例を示す。名前「Ａ  さん」の通信相手のエントリは、削除されている。
【００６２】
図１５の処理に戻って、変更部２０３は、発生したイベントが閉じるボタンであるか否かを判定する（Ｓ１５１９）。発生したイベントが閉じるボタンではないと判定した場合には、変更部２０３はＳ１５０９へ処理を戻す。発生したイベントが閉じるボタンであると判定した場合には、変更部２０３は処理を終え、図１３の処理へ戻る。
【００６３】
図１３の処理に戻って、第２表示部２０５は、端子Ｄを介して、図１１のＳ１１０１の処理へ戻る。
【００６４】
図１１の処理に戻って、Ｓ１１１１で非表示対象テーブル２１３に電話番号が一致するエントリがなかったと判定した場合には、第２表示部２０５は、端子Ｃを介して図１９のＳ１９０１へ処理を移す。
【００６５】
図１９に示した通り、第２表示部２０５は、標準の着信画面を表示する（Ｓ１９０１）。標準の着信画面は、例えば着信中の旨と、発信者不明の旨と、発信端末の電話番号を表示する画面である。第２表示部２０５は、呼制御部２０７からの通知を待つ（Ｓ１９０３）。通知を受けると、第２表示部２０５は、切断の通知であるかあるいは通話開始の通知であるかを判定する（Ｓ１９０５）。切断の通知であると判定した場合には、第２表示部２０５は、着信画面の表示を終了し（Ｓ１９０７）、処理を終了する。そして、端子Ｄを介して図１１のＳ１１０１の処理へ戻る。
【００６６】
一方、通話開始の通知であると判定した場合には、第２表示部２０５は、着信画面の表示を終了し（Ｓ１９０９）、標準の通話画面を表示する（Ｓ１９１１）。通話画面は、例えば通話中の旨と、発信者不明の旨と、発信端末の電話番号を表示する画面である。第２表示部２０５は、切断の通知を待つ（Ｓ１９１３）。切断の通知を受けると、第２表示部２０５は、通話画面の表示を終了し（Ｓ１９１５）、処理を終了する。そして、端子Ｄを介して図１１のＳ１１０１の処理へ戻る。
【００６７】
このように、着信画面に発信者名として表示するだけで足りる通信相手を通信相手リストの非表示対象とし、通信相手リストの表示対象であるエントリの数を少なくすることができる。
【００６８】
また、第２表示処理で、通信相手リストの非表示対象であった通信相手からの着信があった場合に、その通信相手が通信相手リストの表示対象に復元されるようにできる。
【００６９】
更に、第２表示処理で、着信に対して応答しなかった通信相手は、通信相手リストの表示対象に復元しないので、表示対象のエントリの増加を抑制できる。
【００７０】
加えて、第２表示処理で一括して復元するので、送信元の通信相手と同じグループのメンバーも、通信相手リストに復元することができる。
【００７１】
一方、第１表示処理で一括して除外するので、選択して除外する通信相手のみならず、その通信相手と同じグループのメンバーも非表示対象とし、表示対象のエントリ数を少なくすることができる。
【００７２】
［実施の形態２］
本実施の形態では、一括除外画面で、一括除外の対象となる通信相手のリストを表示し、更に一括復元画面で、一括復元の対象となる通信相手のリストを表示する例について説明する。
【００７３】
本実施の形態の第１表示処理フローは、実施の形態１で示した図３と同様である。但し、図６に示した一括除外処理（１）フローに代えて、例えば図２０に示す実施の形態２に係る一括除外処理（２）フローの処理を行う。Ｓ６０１とＳ６０３の処理は、図６と同様である。Ｓ２００１で、変更部２０３は、グループＩＤが一致する通信相手を表示対象テーブル２１１から抽出する。Ｓ６０５で、第１表示部２０１は、抽出した通信相手を一括除外画面に設定する。Ｓ６０７からＳ６１９の処理は、図６と同様である。
【００７４】
図２１に、実施の形態２に係る一括除外画面の例を示す。この例では、名前「Ａ  さん」の通信相手と同じグループＩＤ「Ｇ＿０１」を有する通信相手の名前「Ｂ  さん」と「Ｃ  さん」と「Ｄ  さん」を示している。
【００７５】
図１１、図１２、図１３、図１４及び図１９の処理を、実施の形態１と同様に行う。但し、図１３のＳ１３２５では図１５に示した一括復元処理（１）フローに代えて、例えば図２２に示す実施の形態２に係る一括復元処理（２）フローの処理を行う。Ｓ１５０１とＳ１５０３の処理は、図１５と同様である。Ｓ２２０１で、変更部２０３は、グループＩＤが一致する通信相手を非表示対象テーブル２１３から抽出する。Ｓ１５０５で、変更部２０３は、抽出した通信相手の名前を一括復元画面に設定する。
【００７６】
図２３に、実施の形態２に係る一括復元画面例を示す。復元した名前「Ａ  さん」の通信相手と同じグループＩＤ「Ｇ＿０１」を有する通信相手の名前「Ｂ  さん」と「Ｃ  さん」と「Ｄ  さん」を表示している。
【００７７】
一括除外画面で、一括除外の対象となる通信相手のリストを表示するので、選択して除外する通信相手と同じグループのメンバーを、不用意に通信相手リストの表示対象から外すことを防止できる。
【００７８】
一括復元画面で、一括復元の対象となる通信相手のリストを表示するので、送信元の通信相手と同じグループのメンバーを、不用意に通信相手リストの表示対象に加えることを防止できる。
【００７９】
［実施の形態３］
上記の例では、通信相手リストの表示対象と通信相手リストの非表示対象に区別して格納するために通信相手を管理するテーブルを表示対象テーブル２１１と非表示対象テーブル２１３に分ける例を示したが、本実施の形態では、フラグによって通信相手リストの表示対象と通信相手リストの非表示対象を区別する例について説明する。
【００８０】
図２４は、実施の形態３に係る通信端末装置のモジュール構成例を示す図である。通信端末装置は、表示対象テーブル２１１と非表示対象テーブル２１３に代えて、通信相手テーブル２４０１を有する。
【００８１】
図２５は、通信相手テーブル２４０１の例を示す図である。通信相手テーブル２４０１は、図４に示した表示対象テーブル２１１と同様に、通信相手毎にレコードを有している。レコードには、除外フラグの項目が加えられている。除外フラグがＯＦＦの場合は、そのレコードの通信相手が通信相手リストの表示対象であることを示し、除外フラグがＯＮの場合は、そのレコードの通信相手が通信相手リストの非表示対象であることを示している。
【００８２】
本実施の形態では、図３の第１表示処理フローに代えて、例えば図２６に示す実施の形態３に係る第１表示処理フローの処理を行う。Ｓ３０１で、第１表示部２０１は、表示対象のエントリとして除外フラグがＯＦＦの通信相手テーブル２４０１のレコードを取得する。Ｓ３０３〜Ｓ３１５の処理は、図３と同様である。Ｓ３１５で、発生したイベントが除外ボタンであると判定した場合には、変更部２０３は、選択された通信相手の通信相手テーブル２４０１のレコードの除外フラグをＯＮにする（Ｓ２６０１）。
【００８３】
変更部２０３は、一括除外処理（Ｓ２６０３）で、例えば図２７に示す実施の形態３に係る一括除外処理（３）フローの処理を行う。Ｓ６０１〜Ｓ６１１の処理は、図６と同様である。Ｓ６１３で、変更部２０３は、通信相手テーブル２４０１からグループＩＤが一致する通信相手を抽出し、変更部２０３は、グループＩＤが一致する通信相手の通信相手テーブル２４０１のレコードの除外フラグをＯＮにする（Ｓ２７０１）。Ｓ６１９の処理は、図６と同様である。
【００８４】
図２８に、除外後の通信相手テーブル２４０１の例を示す。この例では、名前「Ａ  さん」の通信相手のエントリが除外され、更に名前「Ａ  さん」の通信相手と同じグループＩＤ「Ｇ＿０１」を有する名前「Ｂ  さん」の通信相手と名前「Ｃ  さん」の通信相手と名前「Ｄ  さん」の通信相手のエントリが一括除外された状態を示している。
【００８５】
図１１に示した第２表示処理フローのうち、Ｓ１１０１、Ｓ１１０３、Ｓ１１０７、Ｓ１１１１の処理は、実施の形態１と同様に行う。但し、Ｓ１１０５の表示対象のエントリを検索する処理では、通信相手テーブル２４０１で除外フラグがＯＦＦのレコードのうち、電話番号が一致するレコードを検索する。また、Ｓ１１０９の非表示対象のエントリを検索する処理では、通信相手テーブル２４０１で除外フラグがＯＮのレコードのうち、電話番号が一致するレコードを検索する。実施の形態１と同様に、図１２の処理を行う。
【００８６】
また、図１３の処理フローのうち、Ｓ１３０１〜Ｓ１３２１の処理を実施の形態１と同様に行う。但し、Ｓ１３２３では、例えば図２９に示す実施の形態３に係る復元処理（２）フローの処理を行う。変更部２０３は、発信した通信相手の通信相手テーブル２４０１のレコードの除外フラグをＯＦＦにする（Ｓ２９０１）。
【００８７】
また、図１３のＳ１３２５では、例えば図３０に示す実施の形態３に係る一括復元処理（３）フローの処理を行う。Ｓ１５０１〜Ｓ１５１１は、図１５と同様である。Ｓ１５１３では、変更部２０３は通信相手テーブル２４０１からグループＩＤが一致する通信相手を抽出し、変更部２０３は、グループＩＤが一致する通信相手の通信相手テーブル２４０１のレコードの除外フラグをＯＦＦにする（Ｓ３００１）。Ｓ１５１９の処理を、図１５と同様に行う。
【００８８】
除外フラグを用いるので、除外処理、一括除外処理、復元処理及び一括復元処理の負担が小さくなり、処理速度を高めることができる。
【００８９】
［実施の形態４］
本実施の形態では、実施の形態３と同様にフラグによって通信相手リストの表示対象と通信相手リストの非表示対象を区別し、実施の形態２と同様に、一括除外画面で除外の対象となる通信相手リストを表示し、一括復元画面で復元の対象となる通信相手リストを表示する例について説明する。
【００９０】
通信端末装置の構成は、実施の形態３と同様に図２４の通りである。通信相手テーブル２４０１の構成は、実施の形態３と同様に図２５の通りである。第１表示処理フローは、実施の形態３と同様に図２６の通りである。但し、図２６のＳ２６０３では、例えば図３１に示す実施の形態４に係る一括除外処理（４）フローの処理を行う。
【００９１】
図３１の処理のうち、Ｓ６０１とＳ６０３は図６と同様である。Ｓ２００１では、グループＩＤが一致する通信相手を、通信相手テーブル２４０１で除外フラグがＯＦＦのレコードのうちから抽出する。Ｓ６０５〜Ｓ６１１の処理は、図６と同様である。発生したイベントが一括除外ボタンである場合に、変更部２０３は、グループＩＤが一致する通信相手の通信相手テーブル２４０１のレコードの除外フラグをＯＮにする（Ｓ３１０１）。
【００９２】
図１１と図１２と図１９の処理を、実施の形態３と同様に行う。
【００９３】
図１３のＳ１３２５では、例えば図３２に示した実施の形態４に係る一括復元処理（４）フローの処理を行う。図３２のＳ１５０１とＳ１５０３の処理は、図１５と同様である。Ｓ２２０１では、グループＩＤが一致する通信相手を、通信相手テーブル２４０１で除外フラグがＯＮのレコードのうちから抽出する。Ｓ１５０５〜Ｓ１５１１の処理は、図１５と同様である。Ｓ１５１１で、イベントが一括復元ボタンであると判定した場合には、変更部２０３は、グループＩＤが一致する通信相手の通信相手テーブル２４０１のレコードの除外フラグをＯＦＦにする（Ｓ３２０１）。
【００９４】
本実施の形態でも除外フラグを用いるので、除外処理、一括除外処理、復元処理及び一括復元処理の負担が小さくなり、処理速度を高めることができる。
【００９５】
［実施の形態５］
上記の実施の形態では、電話着信時における着信画面の表示処理の例を示したが、
本実施の形態では、メール着信時における着信画面の表示処理の例について説明する。
尚、本実施の形態では、実施の形態１及び２と同様に、表示対象テーブルと非表示対象テーブルを用いることを前提とする。
【００９６】
図３３は、実施の形態５に係る通信端末装置のモジュール構成例を示す図である。通信端末装置は、図２に示した第２表示部２０５に代えて、第３表示部３３０１を備えている。また、通信端末装置は、図２に示した呼制御部２０７に代えて、メール処理部３３０３を備えている。第３表示部３３０１は、メール着信に伴う表示を行うように動作する。メール処理部３３０３は、メール送受信の処理を行い、メール送受信に関する通知を第３表示部３３０１に渡すように動作する。
【００９７】
第１表示処理は、実施の形態１又は２と同様である。
【００９８】
図３４は、実施の形態５に係る第３表示処理フローの例を示す図である。第３表示部３３０１は、メール処理部３３０３からのメール着信の通知を待つ（Ｓ３４０１）。第３表示部３３０１は、メールの着信画面を表示する（Ｓ３４０３）。第３表示部３３０１は、メール処理部３３０３からのメール受信完了の通知を待つ（Ｓ３４０５）。メール処理部３３０３からのメール受信完了の通知を受けると、第３表示部３３０１は、メールの着信画面の表示を終了する（Ｓ３４０７）。
【００９９】
変更部２０３は、メール処理部３３０３から受信したメールを取得し、メール毎に以下の処理を繰り返す（Ｓ３４０９）。変更部２０３は、メールに含まれる送信元のメールアドレスを特定する（Ｓ３４１１）。変更部２０３は、非表示対象テーブル２１３のエントリのメールアドレスを検索する（Ｓ３４１３）。変更部２０３は、メールアドレスが一致するエントリがあるか否かを判定する（Ｓ３４１５）。メールアドレスが一致するエントリがないと判定した場合には、メール処理部３３０３は、Ｓ３４１９へ処理を移す。
【０１００】
メールアドレスが一致するエントリがあると判定した場合には、変更部２０３は、復元処理（５）を行う（Ｓ３４１７）。図３５に、実施の形態５に係る復元処理（５）フローの例を示す。変更部２０３は、メール発信元の通信相手のエントリを非表示対象テーブル２１３から表示対象テーブル２１１へコピーする（Ｓ３５０１）。変更部２０３は、非表示対象テーブル２１３からメール発信元の通信相手のレコードを削除する（Ｓ３５０３）。変更部２０３は復元処理を終え、図３４のＳ１３２５へ処理を移す。
【０１０１】
図３４の処理に戻って、変更部２０３は、一括復元処理を行う（Ｓ１３２５）。具体的には、図１５に示した一括復元処理（１）フロー又は図２２に示した一括復元処理（２）フローの処理を行う。変更部２０３は、すべてのメールについて処理したか否かを判定する（Ｓ３４１９）。まだ処理していないメールがあると判定した場合には、変更部２０３は、Ｓ３４０９へ処理を移す。すべてのメールについて処理したと判定した場合には、変更部２０３は、Ｓ３４０１へ処理を移す。そして、第３表示部３３０１はメール処理部３３０３からの新たなメールの着信の通知を待つ。
【０１０２】
電話の着信と同様に、電子メールの着信があった場合にも、発信元の通信相手のエントリを表示対象に復元することができる。
【０１０３】
［実施の形態６］
本実施の形態も、メール着信時における着信画面の表示処理の例について説明する。但し、本実施の形態では、実施の形態３及び４と同様に、除外フラグを含む通信相手テーブル２４０１を用いることを前提とする。
【０１０４】
図３６は、実施の形態６に係る通信端末装置のモジュール構成例を示す図である。図３３と同様に、通信端末装置は、図２４に示した第２表示部２０５に代えて、第３表示部３３０１を備えている。また、通信端末装置は、図２４に示した呼制御部２０７に代えて、メール処理部３３０３を備えている。
【０１０５】
第１表示処理は、実施の形態３又は４と同様である。図３４に示した第３表示処理のＳ３４０１〜Ｓ３４１１、Ｓ３４１５、Ｓ３４１９は、実施の形態５と同様である。Ｓ３４１３で、変更部２０３は、通信相手テーブル２４０１で除外フラグがＯＮであり且つメールアドレスが一致するレコードを検索する。
【０１０６】
図３４のＳ３４１７では、実施の形態５の図３５の復元処理（５）フローに代えて、例えば図３７に示す実施の形態６に係る復元処理（６）フローの処理を行う。変更部２０３は、発信した通信相手の通信相手テーブル２４０１のレコードの除外フラグをＯＦＦにする（Ｓ３７０１）。
【０１０７】
図３４のＳ１３２５の一括復元処理では、具体的には、図３０に示した一括復元処理（３）フロー又は図３２に示した一括復元処理（４）フローの処理を行う。
【０１０８】
本実施の形態でも、電子メールの着信があった場合に、発信元の通信相手のエントリを表示対象に復元することができる。
【０１０９】
以上本技術の一実施の形態を説明したが、本技術はこれに限定されるものではない。例えば、上述の機能ブロック構成は必ずしも実際のプログラムモジュール構成に対応するものではない。
【０１１０】
また、上で説明した各記憶領域の構成は一例であって、必ずしも上記のような構成でなければならないわけではない。さらに、処理フローにおいても、処理結果が変わらなければ処理の順番を入れ替えることも可能である。さらに、並列に実行させるようにしても良い。
【０１１１】
以上述べた実施の形態をまとめると、以下のようになる。
【０１１２】
本実施の形態に係る通信端末装置は、通信相手名及び通信端末識別情報を各々含む複数のエントリを、通信相手リストの表示対象と通信相手リストの非表示対象とに区別して格納する格納部と、着信があった場合に、発信元の通信端末識別情報を特定し、更に、複数のエントリのうち、特定された発信元の通信端末識別情報を含むエントリを特定し、特定されたエントリに含まれる通信相手名を含む着信画面を表示する表示部とを有する。
【０１１３】
このようにすれば、着信画面に発信者名として表示するだけで足りる通信相手のエントリを通信相手リストの非表示対象とし、通信相手リストの表示対象であるエントリの数を少なくすることができる。これにより、発信する際に通信相手リストから送信先の通信相手を探しやすくなる。
【０１１４】
また、通信端末装置は、更に、着信があった場合に、発信元の通信端末識別情報を含み且つ非表示対象であるエントリを、表示対象に変更する変更部を有するようにしてもよい。
【０１１５】
このようにすれば、通信相手リストの非表示対象であった通信相手からの着信があった場合に、その通信相手が自動的に通信相手リストの表示対象となる。従って、送信元の通信相手に発信する用が生じた場合に、通信相手リストからその通信相手を探し出すことができるようになる。
【０１１６】
また、着信に対して応答した場合に、上記変更部は、発信元の通信端末識別情報を含み且つ非表示対象であるエントリを、表示対象に変更するようにしてもよい。
【０１１７】
このようにすれば、例えば用がないので応答しなかった通信相手は通信相手リストの表示対象にならないので、今後も用が生じないであろうと思われる通信相手が通信相手リストに表示されることを防止できる。
【０１１８】
また、複数のエントリは、更に通信相手が属するグループの識別情報を含むようにしてもよい。更に、上記変更部は、表示対象に変更されたエントリに含まれるグループの識別情報と一致するグループの識別情報を含み且つ非表示対象である一又は複数の第１のエントリを特定し、当該一又は複数の第１のエントリを、表示対象に変更するようにしてもよい。
【０１１９】
このようにすれば、発信元の通信相手と同じグループのメンバーである別の通信相手に発信する用が生じた場合に、通信相手リストからその別の通信相手を探し出すことができるようになる。
【０１２０】
上記変更部は、同じグループに属する通信相手を一括して表示対象に変更する指示を受け付けた場合に、一又は複数の第１のエントリを、表示対象に変更するようにしてもよい。
【０１２１】
このようにすれば、発信元の通信相手と同じグループのメンバーである別の通信相手を、不用意に通信相手リストの表示対象に加えることを防止できる。
【０１２２】
また、上記変更部は、通信相手リストの表示対象である特定のエントリを非表示対象に変更する指示を受け付けた場合に、特定のエントリを非表示対象に変更するようにしてもよい。更に、上記変更部は、特定のエントリに含まれるグループの識別情報と一致するグループの識別情報を含み且つ表示対象である一又は複数の第２のエントリを特定し、当該一又は複数の第２のエントリを、非表示対象に変更するようにしてもよい。
【０１２３】
このようにすれば、今後発信する用が生じないであろうと想定される通信相手のみならず、その通信相手と同じとグループのメンバーである別の通信相手も非表示対象とし、表示対象のエントリ数を少なくすることができる。
【０１２４】
また、上記変更部は、同じグループに属する通信相手を一括して非表示対象に変更する指示を受け付けた場合に、一又は複数の第２のエントリを、非表示対象に変更するようにしてもよい。
【０１２５】
このようにすれば、今後発信する用が生じないであろうと想定される通信相手と同じグループのメンバーである別の通信相手を、不用意に通信相手リストの表示対象から外すことを防止できる。
【０１２６】
なお、上記方法による処理を携帯電話機その他の通信端末装置であるコンピュータに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納される。尚、中間的な処理結果はメインメモリ等の記憶装置に一時保管される。
【０１２７】
以上の実施例を含む実施形態に関し、さらに以下の付記を開示する。
【０１２８】
（付記１）
通信相手名及び通信端末識別情報を各々含む複数のエントリを、通信相手リストの表示対象と前記通信相手リストの非表示対象とに区別して格納する格納部と、
着信があった場合に、発信元の通信端末識別情報を特定し、更に、前記複数のエントリのうち、特定された前記発信元の通信端末識別情報を含むエントリを特定し、特定された前記エントリに含まれる通信相手名を含む着信画面を表示する表示部と、
を有する通信端末装置。
【０１２９】
（付記２）
前記通信端末装置は、更に、
前記着信があった場合に、前記発信元の通信端末識別情報を含み且つ非表示対象であるエントリを、表示対象に変更する変更部
を有する付記１記載の通信端末装置。
【０１３０】
（付記３）
前記着信に対して応答した場合に、前記変更部は、前記発信元の通信端末識別情報を含み且つ非表示対象である前記エントリを、表示対象に変更する
付記２記載の通信端末装置。
【０１３１】
（付記４）
前記複数のエントリは、更に通信相手が属するグループの識別情報を含み、
前記変更部は、表示対象に変更された前記エントリに含まれるグループの識別情報と一致するグループの識別情報を含み且つ非表示対象である一又は複数の第１のエントリを特定し、当該一又は複数の第１のエントリを、表示対象に変更する
付記２又は３記載の通信端末装置。
【０１３２】
（付記５）
前記変更部は、同じグループに属する通信相手を一括して表示対象に変更する指示を受け付けた場合に、前記一又は複数の第１のエントリを、表示対象に変更する
付記４記載の通信端末装置。
【０１３３】
（付記６）
前記変更部は、前記通信相手リストの表示対象である特定のエントリを非表示対象に変更する指示を受け付けた場合に、前記特定のエントリを非表示対象に変更し、前記特定のエントリに含まれるグループの識別情報と一致するグループの識別情報を含み且つ表示対象である一又は複数の第２のエントリを特定し、当該一又は複数の第２のエントリを、非表示対象に変更する
付記４又は５記載の通信端末装置。
【０１３４】
（付記７）
前記変更部は、同じグループに属する通信相手を一括して非表示対象に変更する指示を受け付けた場合に、前記一又は複数の第２のエントリを、非表示対象に変更する
付記６記載の通信端末装置。
【０１３５】
（付記８）
通信相手名及び通信端末識別情報を各々含む複数のエントリを、通信相手リストの表示対象と前記通信相手リストの非表示対象とに区別して格納する格納部を有する通信端末装置が実行する表示方法であって、
着信があった場合に、発信元の通信端末識別情報を特定する処理と、
前記複数のエントリのうち、特定された前記発信元の通信端末識別情報を含むエントリを特定し、特定された前記エントリに含まれる通信相手名を含む着信画面を表示する処理と、
を含む表示方法。
【０１３６】
（付記９）
通信相手名及び通信端末識別情報を各々含む複数のエントリを、通信相手リストの表示対象と前記通信相手リストの非表示対象とに区別して格納する格納部を有する通信端末装置に、
着信があった場合に、発信元の通信端末識別情報を特定する処理と、
前記複数のエントリのうち、特定された前記発信元の通信端末識別情報を含むエントリを特定し、特定された前記エントリに含まれる通信相手名を含む着信画面を表示する処理と、
を実行させるためのプログラム。
【符号の説明】
【０１３７】
１０１  プロセッサ    １０３  記憶部
１０５  ＲＯＭ    １０７  ＲＡＭ
１０９  フラッシュメモリ    １１１  入力装置
１１３  表示装置    １１５  アンテナ
１１７  無線制御部    １１９  オーディオ制御部
１２１  スピーカ    １２３  マイク
２０１  第１表示部    ２０３  変更部
２０５  第２表示部    ２０７  呼制御部
２０９  格納部    ２１１  表示対象テーブル
２１３  非表示対象テーブル    ２１５  グループテーブル
２４０１  通信相手テーブル    ３３０１  第３表示部
３３０３  メール処理部
【図１】
2014036287.tif 000003
【図２】
2014036287.tif 000004
【図３】
2014036287.tif 000005
【図４】
2014036287.tif 000006
【図５】
2014036287.tif 000007
【図６】
2014036287.tif 000008
【図７】
2014036287.tif 000009
【図８】
2014036287.tif 000010
【図９】
2014036287.tif 000011
【図１０】
2014036287.tif 000012
【図１１】
2014036287.tif 000013
【図１２】
2014036287.tif 000014
【図１３】
2014036287.tif 000015
【図１４】
2014036287.tif 000016
【図１５】
2014036287.tif 000017
【図１６】
2014036287.tif 000018
【図１７】
2014036287.tif 000019
【図１８】
2014036287.tif 000020
【図１９】
2014036287.tif 000021
【図２０】
2014036287.tif 000022
【図２１】
2014036287.tif 000023
【図２２】
2014036287.tif 000024
【図２３】
2014036287.tif 000025
【図２４】
2014036287.tif 000026
【図２５】
2014036287.tif 000027
【図２６】
2014036287.tif 000028
【図２７】
2014036287.tif 000029
【図２８】
2014036287.tif 000030
【図２９】
2014036287.tif 000031
【図３０】
2014036287.tif 000032
【図３１】
2014036287.tif 000033
【図３２】
2014036287.tif 000034
【図３３】
2014036287.tif 000035
【図３４】
2014036287.tif 000036
【図３５】
2014036287.tif 000037
【図３６】
2014036287.tif 000038
【図３７】
2014036287.tif 000039